(57)【要約】      （修正有）【課題】複数の人の法名を整理して保存するための法名綴を提供する。【解決手段】ファイル１に法名一覧表２と、整理番号３が付された複数の法名控とが綴ってあり、各法名控には、一人ずつの法名と俗名とが少なくとも記載されるものであり、法名一覧表２には、法名控の整理番号３に対応して法名と俗名を記載する欄７，８が設けてある。【選択図】図２
0003185518.tif 000002
【実用新案登録請求の範囲】
【請求項１】
ファイルに法名一覧表と、整理番号が付された複数の法名控とが綴ってあり、各法名控には、一人ずつの法名と俗名とが少なくとも記載されるものであり、法名一覧表には、法名控の整理番号に対応して法名と俗名を記載する欄が設けてあることを特徴とする法名綴。
【請求項２】
ファイルは、透明な袋状のポケットを複数枚備えるクリアポケットファイルであることを特徴とする請求項１記載の法名綴。
【請求項３】
法名一覧表の次のページに法名控の記入例が綴ってあることを特徴とする請求項１又は２記載の法名綴。
【考案の詳細な説明】
【技術分野】
【０００１】
本考案は、複数の人の法名を整理して保存するための法名綴に関する。
【背景技術】
【０００２】
浄土真宗では、人が亡くなるとお寺から法名を授かる。法名は、お寺から紙に書いて渡され、家族はそれを表装して仏壇に掛けたりしている。先祖や亡くなられた家族が大勢いる家では、誰の法名が何であったか分からなくなることがあった。
【考案の概要】
【考案が解決しようとする課題】
【０００３】
本考案は以上に述べた実情に鑑み、複数の人の法名を整理して保存するための法名綴の提供を目的とする。
【課題を解決するための手段】
【０００４】
上記の課題を達成するために請求項１記載の考案による法名綴は、ファイルに法名一覧表と、整理番号が付された複数の法名控とが綴ってあり、各法名控には、一人ずつの法名と俗名とが少なくとも記載されるものであり、法名一覧表には、法名控の整理番号に対応して法名と俗名を記載する欄が設けてあることを特徴とする。
【０００５】
請求項２記載の考案による法名綴は、請求項１記載の考案の構成に加え、ファイルは、透明な袋状のポケットを複数枚備えるクリアポケットファイルであることを特徴とする。
【０００６】
請求項３記載の考案による法名綴は、請求項１又は２記載の考案の構成に加え、法名一覧表の次のページに法名控の記入例が綴ってあることを特徴とする。
【考案の効果】
【０００７】
請求項１記載の考案による法名綴は、ファイルに法名一覧表と、整理番号が付された複数の法名控とが綴ってあり、各法名控に各人の法名と俗名等を記入し、法名一覧表に法名控の整理番号に対応して法名と俗名とを記入することで、複数の人の法名を整理して保存することができ、誰の法名が何であったかすぐに調べられる。
【０００８】
請求項２記載の考案による法名綴は、ファイルが透明な袋状のポケットを複数枚備えるクリアポケットファイルであるため、法名一覧表と法名控を各ポケットに挿入して保存でき、取扱いが容易になる。
【０００９】
請求項３記載の考案による法名綴は、法名一覧表の次のページに法名控の記入例が綴ってあるため、本法名綴を購入した者が、記入例を参考にして法名控の記入が容易に行える。
【図面の簡単な説明】
【００１０】
【図１】本考案の一実施形態に係る法名綴の平面図であって、ファイルを閉じた状態を示す。
【図２】同法名綴の平面図であって、ファイルを開いた最初のページを示す。
【図３】同法名綴の平面図であって、ファイルを開いた２枚目のページを示す。
【図４】同法名綴の平面図であって、ファイルを開いた３枚目のページを示す。
【考案を実施するための形態】
【００１１】
以下、本考案の実施の形態を図面に基づいて説明する。図１〜４は、本考案に係る法名綴の一実施形態を示している。本法名綴は、樹脂製のカバー１０の内部に透明な袋状のポケット１１を複数枚備える市販のクリアポケットファイル１を利用している。ファイルを開いた最初のページには、図２に示すように、法名一覧表２がポケット１１に差し入れて綴ってある。次のページには、図３に示すように、法名控の記入例９がポケット１１に差し入れて綴ってある。以降のページには、図４に示すように、法名控４が整理番号３が１番のものから順番にポケット１１に差し入れて綴ってある。法名控４は、整理番号３が１番のものから１８番のものまで、全部で１８枚綴ってある。
【００１２】
本法名綴を購入した者は、法名控４をポケット１１から抜き取り、法名控の記入例９を参考にしながら、法名５、俗名６、続柄１２、生まれた日１３、亡くなった日１４、亡くなったときの年齢１５等を記載する。余白部分には、その人の情報、例えばどんな仕事していたかとか、趣味、好きだったこと（物）等も記載することができる。この作業を、俗名の分かる法名から整理番号３が１番の法名控４より行い、ポケット１１に入れて綴る。次に、法名一覧表２をポケット１１から抜き取り、法名一覧表２には法名控４の整理番号３に対応して法名を記載する欄７と俗名を記載する欄８が設けてあるので、その欄７，８に法名５と俗名６を記入し、ポケット１１に入れて綴る。
【００１３】
以上に述べたように本法名綴は、ファイル１に法名一覧表２と、整理番号３が付された複数の法名控４とが綴ってあり、各法名控４に各人の法名５と俗名６等を記入し、法名一覧表２に法名控４の整理番号３に対応して法名５と俗名６とを記入することで、複数の人の法名を整理して保存することができ、誰の法名が何であったかすぐに調べられる。また、ファイル１が透明な袋状のポケット１１を複数枚備えるクリアポケットファイルであるため、法名一覧表２と法名控４を各ポケット１１に抜き差しして容易に綴じることができ、取扱いが容易である。さらに本法名綴は、法名一覧表２の次のページに法名控の記入例９が綴ってあるため、本法名綴を購入した者が記入例９を参考にして法名控４の記入が容易に行える。
【００１４】
本考案は、以上に述べた実施形態に限定されない。ファイル１の形式、法名控４等の綴り方は任意であり、例えば法名控４等に孔を開けて綴る形式、Ｚファイル、リングファイル、バインダー形式等であってもよい。法名控４の綴り枚数は任意である。
【符号の説明】
【００１５】
１  クリアポケットファイル（ファイル）
２  法名一覧表
３  整理番号
４  法名控
５  法名
６  俗名
７  法名を記載する欄
８  俗名を記載する欄
【図１】
0003185518.tif 000003
【図２】
0003185518.tif 000004
【図３】
0003185518.tif 000005
【図４】
0003185518.tif 000006
【手続補正書】
【提出日】平成25年6月17日(2013.6.17)
【手続補正１】
【補正対象書類名】実用新案登録請求の範囲
【補正対象項目名】請求項１
【補正方法】変更
【補正の内容】
【請求項１】
ファイルに法名一覧表と、整理番号が付された複数の法名控とが綴ってあり、各法名控には、一人ずつの法名と俗名とが少なくとも記載されるものであり、法名一覧表には、法名控の整理番号が１から順に並べて記載される欄と、各整理番号毎にそれに対応する法名と俗名を書き込む欄とが並べて設けてあることを特徴とする法名綴。
【手続補正２】
【補正対象書類名】明細書
【補正対象項目名】０００４
【補正方法】変更
【補正の内容】
【０００４】
上記の課題を達成するために請求項１記載の考案による法名綴は、ファイルに法名一覧表と、整理番号が付された複数の法名控とが綴ってあり、各法名控には、一人ずつの法名と俗名とが少なくとも記載されるものであり、法名一覧表には、法名控の整理番号が１から順に並べて記載される欄と、各整理番号毎にそれに対応する法名と俗名を書き込む欄とが並べて設けてあることを特徴とする。